(57)【要約】【課題】上部開口を封緘する際に剥離紙を剥がしやすく、かつ、開封が容易であり、また、袋内に物品を収納した状態では、嵩張ることなく見映えが良好であり、また、多数枚を積み重ねて束にした状態でも取り扱いやすく、保管時のスペースが少なくて済む包装袋を提供する。【解決手段】下部で連なる表シート１と裏シート２の上辺部３の両側にそれぞれ内向きのテーパー状に形成されたテーパー辺４，４を除いた両側部５，５が溶着ｈされ、かつ、上部に開口６が形成される包装袋であって、表シート１又は裏シート２のテーパー辺４，４間における上辺部３の内側には、剥離紙付きの封緘用両面テープ７が貼着され、該封緘用両面テープ７で表シート１と裏シート２の上辺部３が接着されて開口６が封緘された状態では、テーパー辺４，４の封緘用両面テープ７より下方の部分が開放状態となる。【選択図】  図２
2006256664.tif 000002
【特許請求の範囲】
【請求項１】
下部で連なる表シート（１）と裏シート（２）の上辺部（３）の両側にそれぞれ内向きのテーパー状に形成されたテーパー辺（４）（４）が形成され、前記表シート（１）と裏シート（２）の前記テーパー辺（４）（４）を除いた両側部（５）（５）が溶着（ｈ）され、かつ、上部に開口（６）が形成される包装袋であって、
前記表シート（１）又は裏シート（２）の前記テーパー辺（４）（４）間における上辺部（３）の内側には、剥離紙付きの封緘用両面テープ（７）が貼着され、該封緘用両面テープ（７）で前記表シート（１）と裏シート（２）の上辺部（３）が接着されて前記開口（６）が封緘された状態では、前記テーパー辺（４）（４）の前記封緘用両面テープ（７）より下方の部分が開放状態となることを特徴とする包装袋。
【請求項２】
前記表シート（１）と裏シート（２）の下部には、底ガゼット（８）が形成されることを特徴とする請求項１に記載の包装袋。
【発明の詳細な説明】
【技術分野】
【０００１】
本発明は、包装袋に係り、例えば、菓子や果実等の食品類その他を収納して封緘できるようにした包装袋に関する。
【背景技術】
【０００２】
デパートやスーパー等の食品売場では、菓子や果実等の食品類が透明な包装袋に収納されて展示販売されることが多い。このような包装袋は、例えば、図５に示すように、下部で連なる表裏２枚の合成樹脂フィルム１１，１２の上部が方形状に形成され、食品等を収納した状態で、その上部開口を剥離紙付きの封緘用両面テープ１３で封緘できるようにしたものが公知である。この場合、２枚の合成樹脂フィルム１１，１２の両側部及び底ガゼット１４の両側部が溶着ｈされている。なお、内部に収納した乾燥食品を水や湯を注入して復元できるようにした包装袋も提案されている（例えば、特許文献１参照）。
【０００３】
【特許文献１】特開２００４−１４９２０１号公報
【発明の開示】
【発明が解決しようとする課題】
【０００４】
このような包装袋では、内部に食品等を収納した後は、手作業で剥離紙を剥がして封緘していたが、上記図５に示す従来例のように、袋本体の上部が方形状に形成されていると、上部開口を封緘する際に、両面テープ１３の剥離紙を剥がすために隅部に指を入れなければならず、その剥がし作業が容易でなく封緘作業が煩瑣になるという問題があった。また、封緘された状態では、両面テープ１３によって上部開口が両端まで閉じられているため、開封しにくいという難点もあった。
【０００５】
そして、食品を内部に収納した封緘状態では、果実等を収納する場合、その上部両側隅部に食品を収納できない空間部分が残って嵩高くなり充填効率（全内容積に対する実際に収納できる容積の割合）が低いという難点があった。食品売場では、できるだけ多くの包装袋を見映えよく展示できることが望ましく充填効率の高い包装袋が求められるが、上述のように、食品を収納できない両側空間部分が角張って張り出していると見映えがよくないという問題もあった。
【０００６】
さらに、このような包装袋では、使用する前には、多数枚を積み重ねて束にした状態で搬送したり保管したりするため、積み重ねた状態においてもできるだけ嵩張らないことが望まれる。しかるに、従来の包装袋のように袋本体が矩形状に形成されていると、積み重ねて束にしても角部が張り出すため、取り扱いにくく、また、保管時にスペースを要するという難点があった。
【０００７】
本発明は、このような実情に鑑みてなされ、上部開口を封緘する際に剥離紙を剥がしやすく、かつ、開封が容易であり、また、袋内に物品を収納した状態では、嵩張ることなく見映えが良好であり、また、多数枚を積み重ねて束にした状態でも取り扱いやすく、保管時のスペースが少なくて済む包装袋を提供することを目的とする。
【課題を解決するための手段】
【０００８】
本発明の包装袋は、下部で連なる表シート１と裏シート２の上辺部３の両側にそれぞれ内向きのテーパー状に形成されたテーパー辺４，４が形成され、前記表シート１と裏シート２の前記テーパー辺４，４を除いた両側部５，５が溶着ｈされ、かつ、上部に開口６が形成される包装袋であって、
前記表シート１又は裏シート２の前記テーパー辺４，４間における上辺部３の内側には、剥離紙付きの封緘用両面テープ７が貼着され、該封緘用両面テープ７で前記表シート１と裏シート２の上辺部３が接着されて前記開口６が封緘された状態では、前記テーパー辺４，４の前記封緘用両面テープ７より下方の部分が開放状態となることを特徴とする。
【０００９】
このような構成によれば、テーパー辺４，４は溶着されていないため、封緘前に、両テーパー４，４辺間に貼着された封緘用両面テープ６の剥離紙の端部を容易に掴んで剥がすことができるため、封緘作業が容易となる。また、物品を袋内に収納した状態でも両テーパー辺４，４が開放されているため、その部分から容易に開封することができる。そして、物品を袋内に収納した状態では、上辺部３の両側にテーパー辺４，４が形成されていることによって角部が張り出して嵩張るようなことがなく見映えが良好となり、充填効率も高くなる。さらに、使用前に多数枚を積み重ねて束にした状態でも角部の張り出しがなく嵩張らないため、取り扱いやすく、保管時のスペースが少なくて済む。
【００１０】
このような包装袋では、前記表シート１と裏シート２の下部には、底ガゼット８が形成されてもよい。このようにすれば、物品の収納量が多くなる。
【発明の効果】
【００１１】
本発明の包装袋は、表シート又は裏シートの前記テーパー辺間における上辺部の内側に剥離紙付きの封緘用両面テープを貼着しているので、封緘前に、両面テープの剥離紙の端部を容易に掴んで剥がすことができるため、封緘作業が容易となる。また、物品を袋内に収納して開口が封緘された状態では、テーパー辺の封緘用両面テープより下方の部分が開放されているため、その部分から容易に開封することができる。そして、物品を袋内に収納した状態では、上辺部の両側のテーパー辺によって角部が張り出して嵩張るようなことがなく見映えが良好となり、充填効率も高くなる。さらに、使用前に多数枚を積み重ねて束にした状態でも角部の張り出しがなく嵩張らないため、取り扱いやすく、保管時のスペースが少なくて済む。
【発明を実施するための最良の形態】
【００１２】
以下に、本発明の最良の実施の形態に係る包装袋について図面を参照しつつ詳細に説明する。図１は包装袋の正面図、図２は斜視図、図３は展開図、図４は内部に食品を収容した状態の斜視図である。これらの図にて、符号１は表シート、２は裏シートで、この表シート１と裏シート２は下部で連なっている。３は上辺部、４はテーパー辺で、上辺部３の両側にそれぞれ内向きのテーパー状に形成される。そして、表シート１と裏シート２のテーパー辺４，４を除いた両側部５，５が溶着ｈされ、かつ、上部には開口６が形成される。
【００１３】
このような包装袋にあって、表シート１又は裏シート２のテーパー辺４，４間における上辺部３の内側には、剥離紙付きの封緘用両面テープ７が貼着され、かつ、表シート１と裏シート２の下部には底ガゼット８が形成される。そして、内部に物品（例えば、果実等）９が収納されて封緘用両面テープ７で表シート１と裏シート２の上辺部３が接着されて開口６が封緘された状態では、テーパー辺４，４の封緘用両面テープ７より下方の部分が開放状態となる（図３参照）。なお、１０は空気抜きの孔である。
【００１４】
包装袋の製造方法については、例えば、二軸延伸ポリプロピレンと無延伸ポリプロピレンとを貼り合わせた４０μｍ厚の巻取り原反から繰り出した帯状のフィルムを、図３に示すように、表シート１と裏シート２の間にＷ字形状の切込みを形成した底ガゼット８を形成した形状に切断し、表シート１と裏シート２の両側部と、底ガゼット８の周縁部と、をそれぞれ溶着すればよい。また、表シート１と裏シート２及び底ガゼット８をそれぞれ別体に切断し、底ガゼット８を台形状に折り畳んで、表シート１と裏シート２の間に挿入して、表シート１と裏シート２の両側部と、底ガゼット８の周縁部と、をそれぞれ溶着してもよい。なお、本発明は、包装袋の製造方法を特定するものではなく、その他の適宜な方法でせいそうされてもよい。
【００１５】
このような構成によれば、テーパー辺４，４は溶着されていないため、両テーパー４，４辺間に貼着された封緘用両面テープ７の剥離紙の端部を容易に掴んで剥がすことができるため、封緘作業が容易となる。また、物品９を袋内に収納した状態でも、図４に示すように、両テーパー辺４，４が開放されているため、その部分から容易に開封することができる。そして、このように物品を収納した状態では、上辺部３の両側にテーパー辺４，４が形成されていることによって角部が張り出して嵩張るようなことがなく見映えが良好となり、充填効率も向上する。さらに、角部の張り出しがなく嵩張らないため、使用前に、多数枚を積み重ねて束にした状態でも取り扱いやすく、保管時のスペースが少なくて済む。また、下部に底ガゼット８が形成されているので、物品９の収納量が多くなる。
【００１６】
なお、本発明は、実施の形態に限定されることなく、発明の要旨を逸脱しない限りにおいて、適宜、必要に応じて、設計変更や改良等を行うのは自由であり、例えば、底ガゼット８は形成されなくてもよい。
【図面の簡単な説明】
【００１７】
【図１】本発明の実施の形態に係る包装袋の正面図である。
【図２】同包装袋の斜視図である。
【図３】同包装袋の展開図である。
【図４】同物品を収納した状態の包装袋の斜視図である。
【図５】従来の食品包装袋の正面図である。
【符号の説明】
【００１８】
１…表シート、２…裏シート、３…上辺部、４…テーパー辺、５…側部、６…開口、７…剥離紙付きの封緘用両面テープ、８…底ガゼット、ｈ…溶着
【図１】
2006256664.tif 000003
【図２】
2006256664.tif 000004
【図３】
2006256664.tif 000005
【図４】
2006256664.tif 000006
【図５】
2006256664.tif 000007